(57)【要約】      （修正有）【課題】  浮遊汚濁物質を含んだ測定水を金網で所定量の浮遊汚濁物質を取り除くことで、沈降分離するしないに関わらず定量的に浮遊汚濁物質を除去した測定水を採取する汚濁物除去装置を提供する。【解決手段】  浮遊汚濁物質が含まれている測定水を分析する前処理において、オーバーフロータンク内をメッシュ状の金網11で仕切って２つの部屋を形成し、一方の部屋には前記測定水を流入させ、他方の部屋には前記一方の部屋に流入された測定水が前記メッシュ状の金網11を通過した測定水を流入させ、流入した状態で静止させて沈降分離させた後に他方の部屋の測定水の上澄み液を採取して分析側に送るようにすると共に、メッシュ状の金網11を洗浄水で洗浄する金網洗浄手段、２つの部屋を洗浄水で洗浄する部屋洗浄手段を設ける。【選択図】  図１
2007263633.tif 000002
【特許請求の範囲】
【請求項１】
浮遊汚濁物質が含まれている測定水の汚濁を除去する汚濁物除去方法において、
オーバーフロータンク内をメッシュ状の金網で仕切って２つの部屋を形成し、
一方の部屋には前記測定水を流入させ、
他方の部屋には前記一方の部屋に流入された測定水が前記メッシュ状の金網を通過した測定水を流入させ、
該流入した状態で静止させて沈降分離させた後に該他方の部屋の測定水の上澄み液を採取して分析側に送るようにしたこと
を特徴とする汚濁物除去方法。
【請求項２】
前記メッシュ状の金網を金網洗浄手段の洗浄水で洗浄することを特徴とする請求項１に記載の汚濁物除去方法。
【請求項３】
前記２つの部屋を部屋洗浄手段の洗浄水で洗浄することを特徴とする請求項１及び請求項２に記載の汚濁物除去方法。
【請求項４】
浮遊汚濁物質が含まれている測定水を沈降分離させて汚濁物質を除去する汚濁物除去装置において、
底部から測定水を供給する測定水口を備え、上部から測定水をオーバーフローさせるオーバーフロー口を備えた第１の部屋と、
この第一の部屋とメッシュ状の金網で仕切って形成された第２の部屋と、
前記測定水口を含まない前記第２の部屋に設けられていて、前記測定水を沈降分離した後の上澄み液を採取するための吸い込み口と、
を備えたことを特徴とする汚濁物除去装置。
【請求項５】
前記メッシュ状の金網を洗浄水で洗浄する金網洗浄手段を設けたことを特徴とする請求項４に記載の汚濁物除去装置。
【請求項６】
前記２つの部屋を洗浄水で洗浄する部屋洗浄手段を設けたことを特徴とする請求項４に記載の汚濁物除去装置。
【発明の詳細な説明】
【技術分野】
【０００１】
本発明は、汚濁物除去方法及び汚濁物除去装置に関し、詳しくは下水道施設の細菌反応槽の水を測定する前処理として、安定して浮遊物（Ｓｕｓｐｅｎｄｅｄ  Ｓｏｌｉｄｓ）を所定大きさで且つ一定量除去できるようにした汚濁物除去方法及び汚濁物除去装置に関する。
【背景技術】
【０００２】
下水に活性汚泥を混ぜて、空気を吹き込むと、活性汚泥と下水がよく混じり合い、好気性細菌は吹き込まれた空気中の酸素の助けを借りて、どんどん汚れを食べてゆき、時間が経つに従って、しだいに大きな固まりとなる。
下水処理は、このように活性汚泥に空気を送り込みながらかき混ぜ（エアレーション）、好気性の微生物のはたらきによって汚れ（主に有機物）を分解し、さらに疑集剤を加えて化学的にリンを取り除く方法である。
【０００３】
エアレーションによって、下水中のリンの殆どはリン酸イオン（ＰＯ４３−）にり、この中に疑集剤のポリ塩化アルミニウム（ＰＡＣ）を加えるとリン酸イオンはアルミニウムイオン（Ａｌ３＋）と反応して、リン酸アルミニウム（ＡｌＰＯ４）となって沈降する。この沈殿物を、余剰汚泥として最終沈殿池から引き抜くことで、リンを除去する。
【０００４】
このようにしてリンが除去された下水（測定水）については、分析する前に沈殿物を取り除いた状態で分析計側に送り込む必要がある。
そのため、沈殿物が沈降分離することを利用して、オーバーフロータンクにこの測定水を流し込んで、所定時間静止した状態を維持させておいて沈降させ、上部の上澄み液をポンプで採取して分析計側に送るという構成、所謂、サンプル前処理部である。
【０００５】
このサンプル前処理部は、図８に示すように、オーバーフロータンクＴＫ１を中心にして、オーバーフロータンクＴＫ１の下部位置に測定水或は洗浄水を供給する測定洗浄水口１６を設け、オーバーフロータンクＴＫ１の上部位置にオーバーフロータンクＴＫ１から漏れ出た測定水を排出するオーバーフロー口１５、オーバーフロータンクＴＫ１の略中間位置に設けたストレーナ（Ｆ１）に連結されている上澄み液を採取するための吸い込み口２３とからなる。
下部位置に取り付けてある測定水或は洗浄水を供給する測定洗浄水口１６は、測定水を供給するパイプ２１と洗浄水を供給するパイプ１８とで共有されており、バルブ（ＭＶ１、ＳＶ１）の制御によりどちらか一方が選択される。
吸い込み口２３のパイプは切換器ＳＶ３を経由して分析計側に測定水を供給できるようになっている。
【０００６】
このような構成からなるサンプル前処理部において、先ず、測定水をバルブＭＶ１開（ＳＶ１閉）の状態にしてオーバーフロータンクＴＫ１の下部より数分間流し続ける。そして十分にオーバーフロータンクＴＫ１内の水が測定水と置換したら静止する。一定時間静止したら上澄み液をストレーナＦ１がついている吸い込み口２３からポンプにより採取する。
【０００７】
次に、オーバーフロータンクＴＫ１内部を洗浄するために、バルブＳＶ１を開（ＭＶ１を閉）の状態にして洗浄水をオーバーフロータンクＴＫ１の下部より入れ、測定水を沈殿物ごとオーバーフローさせる。
【０００８】
この操作を交互に行うことで、測定水に含まれている浮遊物をタンク内で沈降分離して、測定水を分析計に送り、沈降分離した浮遊物を洗浄水で流し出すことで浮遊物のない測定水を分析計側に送ることができる。
【特許文献１】特開２００６−７１３７号公報（第３頁〜第５頁  第１図）
【発明の開示】
【発明が解決しようとする課題】
【０００９】
しかし、従来技術で説明した、サンプル前処理部における浮遊物を沈降分離するためにオーバーフロータンクを利用する手法において、生物反応が進んでくると、沈降分離するが、処理のはじめの工程や、雨が降ったときなど生物の活性が悪いと沈降分離しないという問題がある。
沈降分離しない場合、汚濁除去が出来ないので汚濁物に含まれる測定成分も測定してしまい、指示が高く表示されてしまうという問題もある。
又、沈降分離した上澄み液を後段の焼結金属フィルターにてろ過するが、すぐに目詰まりを起こし測定不能になるという問題もある。
【００１０】
従って、沈降分離する、分離しないに関わらず、定量的に浮遊汚濁物質（ＳＳ）を除去したサンプルを採取できるようにすることに解決しなければならない課題を有する。
【課題を解決するための手段】
【００１１】
上記課題を解決するために、本発明の汚濁物除去方法及び汚濁物除去装置は、次に示す構成にしたことである。
【００１２】
（１）汚濁物除去方法は、浮遊汚濁物質が含まれている測定水の汚濁を除去する汚濁物除去方法において、オーバーフロータンク内をメッシュ状の金網で仕切って２つの部屋を形成し、
一方の部屋には前記測定水を流入させ、他方の部屋には前記一方の部屋に流入された測定水が前記メッシュ状の金網を通過した測定水を流入させ、該流入した状態で静止させて沈降分離させた後に該他方の部屋の測定水の上澄み液を採取して分析側に送るようにしたことである。
（２）前記メッシュ状の金網を金網洗浄手段の洗浄水で洗浄することを特徴とする（１）に記載の汚濁物除去方法。
（３）前記２つの部屋を部屋洗浄手段の洗浄水で洗浄することを特徴とする（１）、（２）に記載の汚濁物除去方法。
【００１３】
（４）浮遊汚濁物質が含まれている測定水を沈降分離させて汚濁物質を除去する汚濁物除去装置において、底部から測定水を供給する測定水口を備え、上部から測定水をオーバーフローさせるオーバーフロー口を備えた第１の部屋と、この第一の部屋とメッシュ状の金網で仕切って形成された第２の部屋と、前記測定水口を含まない前記第２の部屋に設けられていて、前記測定水を沈降分離した後の上澄み液を採取するための吸い込み口と、を備えたことである。
（５）前記メッシュ状の金網を洗浄水で洗浄する金網洗浄手段を設けたことを特徴とする（４）に記載の汚濁物除去装置。
（６）前記２つの部屋を洗浄水で洗浄する部屋洗浄手段を設けたことを特徴とする（４）に記載の汚濁物除去装置。
【発明の効果】
【００１４】
本発明によれば、底部から測定水を供給する測定水口を備え、上部からオーバーフローした測定水を流すオーバーフロー口を備えたオーバーフロータンクに、測定水口を含むようにしてメッシュ状の金網で仕切って２つの部屋を形成し、測定水口を含まない他方の部屋に沈降分離した上澄み液を採取する吸い込み口を備えた構成にすることで、浮遊汚濁物質を含んだ測定水であっても、金網で所定量の浮遊汚濁物質を取り除くことで、沈降分離する、分離しないに関わらず定量的に浮遊汚濁物質を除去したサンプルを採取できるという効果がある。
【発明を実施するための最良の形態】
【００１５】
次に、本発明に係る汚濁物除去方法及び汚濁物除去装置の実施形態について、図面を参照して以下説明する。
【実施例１】
【００１６】
本発明の汚濁物除去方法を具現化できる汚濁物除去装置は、従来技術で説明したものと同様にリンが除去された下水（測定水）については、分析する前に沈殿物を取り除いた状態で分析計側に送り込む。そのため、オーバーフロータンク内に設置したメッシュ状の金網を仕切りにして、この金網をフィルターとして機能させることで沈降分離する、分離しないに関わらず、定量的に浮遊汚濁物質を除去したサンプルを採取できる構成にした、所謂、サンプル前処理部を提供する。
【００１７】
このサンプル前処理部は、図１に示すように、オーバーフロータンクＴＫ１内をメッシュ状の金網１１で仕切って２つの部屋である、第１及び第２の部屋１２、１３を形成する。
このオーバーフロータンクＴＫ１の構造については図面を参照して後述する。
【００１８】
このようにメッシュ状の金網１１を仕切りにした第１の部屋１２の側壁の略中央位置に洗浄水をメッシュ状の金網１１方向に噴射させる第１のスプレー１４を設け、この第１のスプレー１４よりも上部位置にオーバーフローした測定水を流し出すオーバーフロー口１５を設け、底部には測定水又は洗浄水を入れるための測定洗浄水口１６を設け、その近傍位置に部屋内部の水を排出する第１のドレン口１７を備えた構造となっている。
第１のスプレー１４はバルブＳＶ２を介在させて洗浄水を供給するパイプ１８に連通している。
オーバーフロー口１５は排水パイプ１９に連通している。
測定洗浄水口１６は、バルブＭＶ１を介在させてサンプル（測定水）を供給するパイプ２１に連通していると共にバルブＳＶ１を介在させて洗浄水を供給するパイプ１８に連通している。
第１のドレン口１７はバルブＳＶ５を介在させて排水パイプ１９に連通している。
【００１９】
又、メッシュ状の金網１１で仕切られた第２の部屋１３の側壁の略中央位置に洗浄水をメッシュ状の金網１１方向に噴射させる第２のスプレー２２を設け、この第２のスプレー２２の噴射方向を避ける位置であって底部から離れた中空位置に配置してなる測定水を吸い込む吸い込み口２３を設け、底部に部屋内部の水を排出するための第２のドレン口２４を備えた構造となっている。
第２のスプレー２２はバルブＳＶ２−１を介在させて洗浄水を供給するパイプ１８に連通している。
吸い込み口２３は、フィルターＦ１を介在させてバルブＳＶ３を介して分析計側に連通している。
第２のドレン口２４はバルブＳＶ５−１を介在させて排水パイプ１９に連通している。
【００２０】
さて、上記示したオーバーフロータンクの具体的な構造について、図２乃至図７を参照にして説明する。
オーバーフロータンクＴＫ１は、直方体形状の筐体に形成され、長手方向両端に洗浄水を噴射するノズルを設けた第１のスプレー１４、第２のスプレー２２が内部において対峙した状態で配置されている。その筐体の底部には、測定水或は洗浄水を取り込むために測定洗浄水口１６が設けられている。
【００２１】
オーバーフロータンクＴＫ１は、メッシュ状の金網１１で仕切って２つの第１及び第２の部屋１２、１３に形成されている。測定洗浄水口１６は、第1の部屋側に設けられ、測定洗浄水口１６を含まない第２の部屋１３に測定水を沈降分離した後の上澄み液を採取するための吸い込み口２３が設けられている。
【００２２】
メッシュ状の金網１１は、特に図６及び図７に示すように、上部が金網の大きさに開口した開口部２５を有する仕切り板２６を配設し、この開口部２５に合わせるようにしてパッキン２７を載置し、そのパッキン２７に合わせて金網２８を配置し、その上からやはり仕切り板２６の開口部２５の大きさに開口した開口部２９を有する押さえ板３１で挟み込みネジで螺合係止した構造となっている。
【００２３】
このようにメッシュ状の金網１１で仕切った第２の部屋１３の上部には第２の部屋１３に取り込んだ測定水を静止した状態にしたときの上澄み液を採取する吸い込み口２３を設けた構造となっている。
【００２４】
更に、第１の部屋１２には、特に図７に示すように、底部隅に部屋の測定水或は洗浄水を排出するための第１のドレイン口１７を設けた構造となっており、底面はメッシュ状の金網１１に対して傾斜して第１のドレイン口１７方向に浮遊物が集まるような傾斜板３２を備えた構造となっている。第２の部屋１３には、特に図６及び図７に示すように、底部隅に測定水或は洗浄水を排出するための第２のドレイン口２４を設けた構造となっており、底面はメッシュ状の金網１１に対して傾斜して第２のドレイン口２４方向に浮遊物が集まるような傾斜板３３を備えた構造となっている。
【００２５】
このような構成からなるオーバーフロータンクＴＫ１において、第１及び第２のスプレー１４、２２がメッシュ状の金網１１に対して洗浄水を噴射させることで金網２８を洗浄する、所謂、金網洗浄手段を形成する。
又、測定洗浄水口１６から洗浄水を第１及び第２の部屋１２、１３に供給してオーバーフロー口１５から排出させるようにしてタンク毎洗浄する、所謂、部屋洗浄手段を形成する。
【００２６】
このような構成からなるサンプル前処理部においては、オーバーフロータンク内に取り入れた測定水を金網２８を通過させ、その金網２８を通過した測定水を所定時間静止した後に上澄み液を採取するというものであり、次に示す手法により測定水から浮遊汚濁物質を取り除いて分析計側に測定水を送る。
【００２７】
先ず、
（１）汚濁水の排出を行う。
これは第１のドレン口１７のバルブＳＶ５、第２のドレン口２４のバルブＳＶ５−１を開の状態にすることでタンク内の汚濁水は排水パイプ１９に排出される。
【００２８】
次に、
（２）第１及び第２のスプレー１４、２２による金網２８の洗浄を行う。
これは、第１のスプレー１４のバルブＳＶ２、第２のスプレー２２のバルブＳＶ２−１を開の状態にすることで洗浄水が第１及び第２のスプレー１４、２２に供給され、金網２８方向に洗浄水が噴射されることで、金網２８を洗浄する。このとき、第１のスプレー１４と第２のスプレー２２の両者が同時に噴射すると、金網２８の両面が同時に洗浄されることになる。
【００２９】
（３）洗浄水をオーバーフローし、タンク毎洗浄する。
これは、測定洗浄水口１６の洗浄水を供給するバルブＳＶ１を開にすることでタンク（第１の部屋１２）の底部に設けてある測定洗浄水口１６から洗浄水がタンク（第１及び第２の部屋１２、１３）内に供給され、オーバーフロー口１５から洗浄水が溢れ出て排水パイプ１９に排水される。
【００３０】
（４）フィルターＦ１よりエアレーションを行う。
これは、バルブＳＶ４、ＳＶ３を開の状態にすることでエアをフィルターＦ１に送り込み逆流パージをすることで上澄み液を採取するルートの洗浄を行う。
【００３１】
（５）オーバーフローしている洗浄水の排出を行う。
これは、第１のドレン口１７のバルブＳＶ５、第２のドレン口２４のバルブＳＶ５−１を開の状態にすることによりタンク（第１及び第２の部屋１２、１３）内の洗浄水を排水パイプ１９に送ることによりタンク（第１及び第２の部屋１２、１３）内の洗浄水が排出される。
【００３２】
（６）測定水を導入する。
これは、測定洗浄水口１６のバルブＭＶ１を開の状態にすることで測定水がタンク（第１の部屋１２）内に流入する。
【００３３】
（７）金網にてろ過する。
これは、測定洗浄水口１６から供給されている測定水が第１の部屋１２に入り、その第１の部屋１２の測定水が金網２８を通ることで浮遊汚濁物質がろ過され、浮遊汚濁物質が除去された測定水が第２の部屋１３に供給される。
【００３４】
（８）静止して沈降分離させる。
これは、測定洗浄水口１６から供給されている測定水を一時停止した状態にして、第２の部屋１３に流入されている浮遊汚濁物質が除去された測定水を静止させた状態に維持することで、金網２８を透過した測定水に含まれている沈殿物を沈降分離させる。
【００３５】
（９）サンプルを採取する。
これは、第２の部屋１３に静止した状態の測定水が沈殿物を沈降分離した状態であるときに上澄み液を吸い込み口２３で吸い込みバルブＳＶ３を介して分析計側に送る。
【００３６】
以上、（１）〜（９）の操作を繰り返し行うことで、所定大きさの浮遊沈殿物を金網で強制的に除去して沈降分離した測定水を採取して分析計側に送る。
【００３７】
以上説明したように、本発明においては、オーバーフロータンク内において、金網２８を利用して所定量の浮遊汚濁物を除去した後に沈降分離させた測定水を分析計側に送るようにしたことで、金網２８のメッシュの開口部の大きさにより、その浮遊汚濁物の除去具合が異なる。
実施例においては、メッシュ１００の開口部の大きさが１５０μｍであると、ろ過後の第２の部屋１３への容量は８９０ｃｃ、メッシュ１３０の開口部の大きさが１２０μｍであると、ろ過後の第２の部屋１３への容量は５３０ｃｃ、メッシュ１６５の開口部の大きさが１００μｍであると、ろ過後の第２の部屋１３への容量は１８０ｃｃ、メッシュ２００の開口部の大きさが７０μｍであると、ろ過後の第２の部屋１３への容量は５０ｃｃ、となり、メッシュの開口部の大きさが密になるほどろ過する量も減ることになる。
【００３８】
更に、メッシュ１００の開口部の大きさが１５０μｍであると、ろ過後の第２の部屋１３への容量は８９０ｃｃであるときに、沈殿物は５７ｃｃであるに対して、従来技術で示した金網を使用しないでオーバーフロータンクを利用して単に沈降分離したときの容量が２７９２ｃｃであり、そのときの沈殿物の容量は４５３ｃｃである。
これは、沈降分離するための測定水が、従来技術で示したように、ただ沈降させただけのものと、本発明のように金網２８で汚濁浮遊物を除去して沈降したものの沈降分離割合は、従来のものは４５３ｃｃ／２７９２ｃｃ＝１６．２％であるのに対して、本発明の金網２８を通した場合の沈降分離割合は、５７ｃｃ／８９０ｃｃ＝６．４％となり、３倍弱の浮遊汚濁物除去効果を得ることができる。
【００３９】
このようにして、メッシュ状の金網１１を利用した浮遊汚濁物を除去する手法においては、例えばメッシュ１００の開口部の大きさが１５０μｍの金網でテストしたところ７０％以上の浮遊汚濁物（ＳＳ）を除去出来ると共に、第１及び第２のスプレー１４、２２による金網２８の洗浄に対しては略１００％の再生が可能で、更に、この手法を取り入れることで数ヶ月のメンテナンスフリーによる連続運転を実現することが可能になる。
【産業上の利用可能性】
【００４０】
底部から測定水を供給する測定水口を備え、上部からオーバーフローした測定水を流すオーバーフロー口を備えたオーバーフロータンクに、測定水口を含むようにしてメッシュ状の金網で仕切って２つの部屋を形成し、測定水口を含まない他方の部屋に沈降分離した上澄み液を採取する吸い込み口を備えた構成にすることで、浮遊汚濁物質を含んだ測定水であっても、金網で所定量の浮遊汚濁物質を取り除くことで、沈降分離するしないに関わらず定量的に浮遊汚濁物質を除去した測定水を採取する汚濁物除去装置を提供する。
【図面の簡単な説明】
【００４１】
【図１】本発明の汚濁物除去装置のうちサンプル前処理部の構成を略示的に示した全体説明図である。
【図２】同、オーバーフロータンクの上面図である。
【図３】同、オーバーフロータンクの正面図である。
【図４】同、オーバーフロータンクの右側面図である。
【図５】同、図３に示すオーバーフロータンクの正面図に対してＡＡ線での断面図である。
【図６】同、図３に示すオーバーフロータンクの正面図に対してＢＢ線での断面図である。
【図７】同、図４に示すオーバーフロータンクの右側面図に対してＣＣ線での断面図である。
【図８】従来技術における汚濁物除去装置のうちサンプル前処理部の構成を略示的に示した全体説明図である。
【符号の説明】
【００４２】
１１      メッシュ状の金網
１２      第１の部屋
１３      第２の部屋
１４      第１のスプレー
１５      オーバーフロー口
１６      測定洗浄水口
１７      第１のドレン口
１８      パイプ
１９      排水パイプ
２１      パイプ
２２      第２のスプレー
２３      吸い込み口
２４      第２のドレン口
２５      開口部
２６      仕切板
２７      パッキン
２８      金網
２９      開口部
３１      押さえ板
３２      傾斜板
３３      傾斜板
【図１】
2007263633.tif 000003
【図２】
2007263633.tif 000004
【図３】
2007263633.tif 000005
【図４】
2007263633.tif 000006
【図５】
2007263633.tif 000007
【図６】
2007263633.tif 000008
【図７】
2007263633.tif 000009
【図８】
2007263633.tif 000010